(57)【要約】【課題】消火活動の中断を防止できる制御装置、この制御装置を有した給水装置、及びこの給水装置を有した消火設備を提供すること。【解決手段】  消火設備１０は、メインポンプ３１を備えたメインポンプ装置３０、サブポンプ４１を備えたサブポンプ装置４０、並びに、メインポンプ装置３０を制御するメイン制御盤７１、並びに、メインポンプ装置３０へ供給される電流が過電流である状態、外部起動信号の受信、及びサブポンプ４１の二次側の圧力値が所定値以下となった状態の少なくとも一つを検出すると、サブポンプ装置４０を起動するサブ制御盤７６を具備した制御装置７０、を備えた給水装置２５と、放水装置５０と、メインポンプ３１の二次側、及びサブポンプ４１の二次側に接続され、放水装置５０に送水する送水配管６０と、備えている。【選択図】図１
2018076781.tif 000002
【特許請求の範囲】
【請求項１】
メインポンプ及びこのメインポンプを駆動するメインモータを具備したメインポンプ装置、並びに、サブポンプ及びこのサブポンプを駆動するサブモータを具備したサブポンプ装置を制御する制御装置であって、
前記メインポンプ装置を制御するメイン制御盤と、
前記メインポンプ装置へ供給される電流が過電流である状態、外部からの外部起動信号の受信、及び前記サブポンプの二次側の圧力値が所定値以下となった状態の少なくとも一つを検出すると、前記サブポンプ装置を起動するサブ制御盤と、
を具備した制御装置。
【請求項２】
メインポンプ及びこのメインポンプを駆動するメインモータを具備したメインポンプ装置、並びに、サブポンプ及びこのサブポンプを駆動するサブモータを具備したサブポンプ装置を制御する制御装置であって、
前記メインポンプ装置を制御するメイン制御盤と、
前記メイン制御盤の故障、前記メイン制御盤に電力が供給されなくなった状態、及び前記メインポンプ装置へ供給される電流が過電流である状態のいずれか１つを検出すると、前記サブポンプ装置を起動する第１の条件が整ったと判断し、この判断後、前記サブポンプの二次側の圧力値が所定値以下となった状態、及び外部からの外部起動信号を受信した状態の少なくとも一方を検出すると、前記サブポンプ装置を起動する第２の条件が整ったと判断して前記サブポンプ装置を起動するサブ制御盤と、
を具備した制御装置。
【請求項３】
前記サブ制御盤は、前記メイン制御盤内に設けられて前記メイン制御盤に電力が供給されていない状態では閉状態となるｂ接点を具備する
請求項２に記載の制御装置。
【請求項４】
前記サブ制御盤は、前記第２の条件が所定時間連続して維持されると、前記サブポンプ装置を起動する
請求項２に記載の制御装置。
【請求項５】
前記メイン制御盤は、前記メインモータへの電流を検出する電流検出装置を具備し、この電流検出装置の検出結果に基づいて過電流を検出すると、前記サブ制御盤に信号を送信する
請求項１または請求項２に記載の制御装置。
【請求項６】
メインポンプ及びこのメインポンプを駆動するメインモータを具備したメインポンプ装置と、
サブポンプ及びこのサブポンプを駆動するサブモータを具備したサブポンプ装置と、
前記メインポンプ装置を制御するメイン制御盤、並びに、前記メインポンプ装置へ供給される電流が過電流である状態、外部からの外部起動信号の受信、及び前記サブポンプの二次側の圧力値が所定値以下となった状態の少なくとも一つを検出すると、前記サブポンプ装置を起動するサブ制御盤を具備した制御装置と、
を具備した給水装置。
【請求項７】
メインポンプ及びこのメインポンプを駆動するメインモータを具備したメインポンプ装置、サブポンプ及びこのサブポンプを駆動するサブモータを具備したサブポンプ装置、並びに、前記メインポンプ装置を制御するメイン制御盤、並びに、前記メインポンプ装置へ供給される電流が過電流である状態、外部からの外部起動信号の受信、及び前記サブポンプの二次側の圧力値が所定値以下となった状態の少なくとも一つを検出すると、前記サブポンプ装置を起動するサブ制御盤を具備した制御装置を具備した給水装置と、
放水装置と、
前記メインポンプの二次側、及び前記サブポンプの二次側に接続され、前記放水装置に送水する送水配管と、
を具備した消火設備。
【請求項８】
メインポンプ及びこのメインポンプを駆動するメインモータを具備したメインポンプ装置と、
サブポンプ及びこのサブポンプを駆動するサブモータを具備したサブポンプ装置と、
メイン制御盤、及びサブ制御盤を具備した制御装置と、
を具備し、
前記メイン制御盤は、前記メインポンプ装置を制御し
前記サブ制御盤は、前記メイン制御盤の故障、前記メイン制御盤に電力が供給されなくなった状態、及び前記メインポンプ装置へ供給される電流が過電流である状態のいずれか１つを検出すると、前記サブポンプ装置を起動する第１の条件が整ったと判断し、この判断後、前記サブポンプの二次側の圧力値が所定値以下となった状態、及び外部からの外部起動信号を受信した状態の少なくとも一方を検出すると、前記サブポンプ装置を起動する第２の条件が整ったと判断して前記サブポンプ装置を起動する
給水装置。
【請求項９】
メインポンプ及びこのメインポンプを駆動するメインモータを具備したメインポンプ装置、サブポンプ及びこのサブポンプを駆動するサブモータを具備したサブポンプ装置、並びに制御装置を具備した給水装置と、
放水装置と、
前記メインポンプの二次側、及び前記サブポンプの二次側に接続され、前記放水装置に送水する送水配管と、
を具備し、
前記制御装置は、前記メインポンプ装置を制御するメイン制御盤、並びに、前記メイン制御盤の故障、前記メイン制御盤に電力が供給されなくなった状態、及び前記メインポンプ装置へ供給される電流が過電流である状態のいずれか１つを検出すると、前記サブポンプ装置を起動する第１の条件が整ったと判断し、この判断後、前記サブポンプの二次側の圧力値が所定値以下となった状態、及び外部からの外部起動信号を受信した状態の少なくとも一方を検出すると、前記サブポンプ装置を起動する第２の条件が整ったと判断して前記サブポンプ装置を起動するサブ制御盤を具備する
消火設備。
【発明の詳細な説明】
【技術分野】
【０００１】
本発明は、スプリンクラ等の放水装置への水を増圧するポンプ装置を制御する制御装置、これらポンプ装置及び制御装置を有した給水装置、並びに、この給水装置を有した消火設備に関する。
【背景技術】
【０００２】
ビル等の建物は、火災時にスプリンクラ等の放水装置から放水することにより消火する消火設備が設置されている。消火設備は、放水装置への水を増圧するポンプ装置、ポンプ装置の駆動を制御する制御盤、及びポンプ装置からの水を放水装置に送水する送水配管を有している。制御盤は、送水配管内の圧力の低下を検出すると、ポンプ装置を起動する。このようにポンプ装置が起動されることにより、放水装置からの放水を連続して行うことができるので、消火活動を連続して行うことができる。
【０００３】
また、複数の放水装置、及びこの放水装置毎に設けられたポンプ装置を有した消火設備では、いずれかの放水装置のポンプ装置が十分なポンプ性能を発揮していない場合に、他のポンプ装置を起動することにより相互にバックアップする技術が知られている（例えば、特許文献１参照。）。
【先行技術文献】
【特許文献】
【０００４】
【特許文献１】特公平４−５０８３２号公報
【発明の概要】
【発明が解決しようとする課題】
【０００５】
上述した消火設備には、以下のような問題があった。すなわち、火災時の停電や制御盤の故障により、制御盤からポンプ装置に電力が供給されなくなると、消火活動が中断される。上述のように、複数の放水装置、及びこれら放水装置毎に設けられたポンプ装置を有した消火設備においても、制御盤からポンプ装置に電力が供給されないと、同様に、消火活動が中断される。
【０００６】
そこで、本発明は、消火活動の中断を防止できる制御装置、この制御装置を有した給水装置、及びこの給水装置を有した消火設備を提供することを目的としている。
【課題を解決するための手段】
【０００７】
本発明の一態様として、制御装置は、メインポンプ及びこのメインポンプを駆動するメインモータを具備したメインポンプ装置、並びに、サブポンプ及びこのサブポンプを駆動するサブモータを具備したサブポンプ装置を制御する制御装置であって、前記メインポンプ装置を制御するメイン制御盤と、前記メインポンプ装置へ供給される電流が過電流である状態、外部からの外部起動信号の受信、及び前記サブポンプの二次側の圧力値が所定値以下となった状態の少なくとも一つを検出すると、前記サブポンプ装置を起動するサブ制御盤と、を備えている。
【０００８】
本発明の一態様として、制御装置は、メインポンプ及びこのメインポンプを駆動するメインモータを具備したメインポンプ装置、並びに、サブポンプ及びこのサブポンプを駆動するサブモータを具備したサブポンプ装置を制御する制御装置であって、前記メインポンプ装置を制御するメイン制御盤と、前記メイン制御盤の故障、前記メイン制御盤に電力が供給されなくなった状態、及び前記メインポンプ装置へ供給される電流が過電流である状態のいずれか１つを検出すると、前記サブポンプ装置を起動する第１の条件が整ったと判断し、この判断後、前記サブポンプの二次側の圧力値が所定値以下となった状態、及び外部からの外部起動信号を受信した状態の少なくとも一方を検出すると、前記サブポンプ装置を起動する第２の条件が整ったと判断して前記サブポンプ装置を起動するサブ制御盤と、を備える。
【０００９】
本発明の一態様として、給水装置は、メインポンプ及びこのメインポンプを駆動するメインモータを具備したメインポンプ装置と、サブポンプ及びこのサブポンプを駆動するサブモータを具備したサブポンプ装置と、前記メインポンプ装置を制御するメイン制御盤、並びに、前記メインポンプ装置へ供給される電流が過電流である状態、外部からの外部起動信号の受信、及び前記サブポンプの二次側の圧力値が所定値以下となった状態の少なくとも一つを検出すると、前記サブポンプ装置を起動するサブ制御盤を具備した制御装置と、を備えている。
【００１０】
本発明の一態様として、消火設備は、メインポンプ及びこのメインポンプを駆動するメインモータを具備したメインポンプ装置、サブポンプ及びこのサブポンプを駆動するサブモータを具備したサブポンプ装置、並びに、前記メインポンプ装置を制御するメイン制御盤、並びに、前記メインポンプ装置へ供給される電流が過電流である状態、外部からの外部起動信号の受信、及び前記サブポンプの二次側の圧力値が所定値以下となった状態の少なくとも一つを検出すると、前記サブポンプ装置を起動するサブ制御盤を具備した制御装置を具備した給水装置と、放水装置と、前記メインポンプの二次側、及び前記サブポンプの二次側に接続され、前記放水装置に送水する送水配管と、を備えている。
【００１１】
本発明の一態様として、給水装置は、メインポンプ及びこのメインポンプを駆動するメインモータを具備したメインポンプ装置と、サブポンプ及びこのサブポンプを駆動するサブモータを具備したサブポンプ装置と、メイン制御盤、及びサブ制御盤を具備した制御装置と、を備える。前記メイン制御盤は、前記メインポンプ装置を制御する。前記サブ制御盤は、前記メイン制御盤の故障、前記メイン制御盤に電力が供給されなくなった状態、及び前記メインポンプ装置へ供給される電流が過電流である状態のいずれか１つを検出すると、前記サブポンプ装置を起動する第１の条件が整ったと判断し、この判断後、前記サブポンプの二次側の圧力値が所定値以下となった状態、及び外部からの外部起動信号を受信した状態の少なくとも一方を検出すると、前記サブポンプ装置を起動する第２の条件が整ったと判断して前記サブポンプ装置を起動する。
【００１２】
本発明の一態様として、消火設備は、メインポンプ及びこのメインポンプを駆動するメインモータを具備したメインポンプ装置、サブポンプ及びこのサブポンプを駆動するサブモータを具備したサブポンプ装置、並びに制御装置を具備した給水装置と、放水装置と、前記メインポンプの二次側、及び前記サブポンプの二次側に接続され、前記放水装置に送水する送水配管と、を備える。前記制御装置は、前記メインポンプ装置を制御するメイン制御盤、並びに、前記メイン制御盤の故障、前記メイン制御盤に電力が供給されなくなった状態、及び前記メインポンプ装置へ供給される電流が過電流である状態のいずれか１つを検出すると、前記サブポンプ装置を起動する第１の条件が整ったと判断し、この判断後、前記サブポンプの二次側の圧力値が所定値以下となった状態、及び外部からの外部起動信号を受信した状態の少なくとも一方を検出すると、前記サブポンプ装置を起動する第２の条件が整ったと判断して前記サブポンプ装置を起動するサブ制御盤を備える。
【発明の効果】
【００１３】
本発明によれば、消火活動の中断を防止できる制御装置、この制御装置を有した給水装置、及びこの給水装置を有した消火設備を提供することが可能となる。
【図面の簡単な説明】
【００１４】
【図１】本発明の一実施形態に係る消火設備の構成を示す説明図。
【図２】同消火設備の制御装置の一部を構成するメイン制御盤を示す説明図。
【図３】同制御装置の一部を構成するサブ制御盤を示す説明図。
【図４】同メイン制御盤の一部、及び同サブ制御盤の一部を示すシーケンス回路図。
【図５】同メイン制御盤の動作を示すフローチャート。
【図６】同サブ制御盤の動作を示すフローチャート。
【発明を実施するための形態】
【００１５】
本発明の一実施形態に係る消火設備１０を、図１乃至図６を用いて説明する。図１は、消火設備１０の構成を示す説明図である。図２は、消火設備１０の制御装置７０の一部を構成するメイン制御盤７１を示す説明図である。図３は、制御装置７０の一部を構成するサブ制御盤７６を示す説明図である。図４は、メイン制御盤７１の一部、及びサブ制御盤７６の一部を示すシーケンス回路図である。図５は、メイン制御盤７１の動作を示すフローチャートである。図６は、サブ制御盤７６の動作を示すフローチャートである。
【００１６】
図１に示すように、消火設備１０は、ビル等の建物に設置されている。消火設備１０は、火事が発生すると放水可能に構成されている。消火設備１０は、消火水槽２０、給水装置２５、給水装置２５からの水を放水可能に構成された放水装置５０、給水装置２５及び放水装置５０に接続され、給水装置２５からの水を放水装置５０に送水可能に形成された送水配管６０、メインポンプ装置３０及びサブポンプ装置４０を制御する制御装置７０、並びに、外部起動装置８０を有している。
【００１７】
消火水槽２０は、貯水可能に形成されている。消火水槽２０には、水位を検出する水位検出装置２１が設けられている。水位検出装置２１は、例えば電極式の水位検出装置である。消火水槽２０は、消火水槽２０内の水を外部に送水可能な吸込管２２が接続されている。
【００１８】
給水装置２５は、消火水槽２０からの水を増圧可能に構成されたメインポンプ装置３０、及び消火水槽２０からの水を増圧可能に構成されたサブポンプ装置４０を有している。メインポンプ装置３０は、水を増圧して二次側に吐出可能に構成されたメインポンプ３１、及びメインポンプ３１を駆動可能に構成されたメインモータ３２を有している。メインポンプ３１は、例えば、内部にポンプ室を有したポンプケーシング、このポンプケーシング内に配置され、メインモータ３２により駆動されるインペラを有している。メインポンプ３１の一次側は、吸込管２２が接続されている。メインポンプ３１は、吸込管２２により消火水槽２０からの水が送水される。メインモータ３２は、制御装置７０のメイン制御盤７１により駆動される。メインモータ３２に電力が供給されることにより、メインポンプ装置３０が起動されることとなる。
【００１９】
サブポンプ装置４０は、水を増圧して二次側に吐出可能に構成されたサブポンプ４１、及びサブポンプ４１を駆動可能に構成されたサブモータ４２を有している。サブポンプ４１は、例えば、内部にポンプ室を有したポンプケーシング、及びこのポンプケーシング内に配置され、サブモータ４２により駆動されるインペラを有している。サブポンプ４１の一次側は、吸込管２２が接続されている。サブポンプ４１は、吸込管２２により消火水槽２０からの水が送水される。サブモータ４２は、制御装置７０のサブ制御盤７６により駆動される。サブモータ４２に電力が供給されることにより、サブポンプ装置４０が起動されることとなる。
【００２０】
放水装置５０は、例えば、スプリンクラ５０ａ、補助散水栓５０ｂ、及び送水口５０ｃを有している。スプリンクラ５０ａは、複数のスプリンクラヘッド５１を有している。スプリンクラヘッド５１は、放水口５２を有している。放水口５２は、火災時に、火災により発生した熱により開口して放水することが可能に構成されている。補助散水栓５０ｂは、人により操作可能なホース５３を有している。このホース５３の先端の開口より、水が放水される。送水口５０ｃは、外部からホースを着脱可能に設けられている。なお、放水装置５０は、スプリンクラ５０ａ、補助散水栓５０ｂ、及び送水口５０ｃに限定されるものではない。
【００２１】
送水配管６０は、メインポンプ３１の二次側に接続された第１の送水管６１、サブポンプ４１の二次側に接続された第２の送水管６２、第１の送水管６１の二次側及び第２の送水管６２の二次側が合流される合流部６３、合流部６３の二次側に接続された第３の送水管６４を有している。
【００２２】
第１の送水管６１には、送水配管６０内の圧力の低下を検出可能に構成された第１の圧力検出装置６５が設けられている。第１の圧力検出装置６５は、具体的には、送水配管６０内の圧力が第１の圧力値Ｐ１以下となったことを検出可能に構成されている。第１の圧力値Ｐ１は、放水装置５０のスプリンクラ５０ａ、補助散水栓５０ｂ、及び送水口５０ｃからの放水を途切れることなく継続する為に、メインポンプ３１の起動の判断に用いられる閾値である。
【００２３】
第２の送水管６２には、送水配管６０内の圧力の低下を検出可能に構成された第２の圧力検出装置６６が設けられている。第２の圧力検出装置６６は、具体的には、送水配管６０内の圧力が、第１の圧力値Ｐ１未満となる第２の圧力値Ｐ２以下となったことを検出可能に構成されている。第２の圧力値Ｐ２は、送水配管６０内の圧力が低下している状態において、メインポンプ３１が駆動していないことを判断する為に用いられる閾値である。すなわち、送水配管６０内の圧力が第２の圧力値Ｐ２以下となると、メインポンプ３１が駆動していないと判断できる。第２の圧力値Ｐ２は、第１の圧力値Ｐ１未満において任意に設定することができる。
【００２４】
第３の送水管６４は、放水装置５０に連結されている。第３の送水管６４は、具体的には、スプリンクラ５０ａのスプリンクラヘッド５１、補助散水栓５０ｂ、及び送水口５０ｃに連結されており、スプリンクラ５０ａ、補助散水栓５０ｂ、及び送水口５０ｃに送水可能に形成されている。
【００２５】
制御装置７０は、メインポンプ装置３０を制御可能に構成されたメイン制御盤７１、及びサブポンプ装置４０を制御可能に構成されたサブ制御盤７６を有している。メイン制御盤７１は、図２に示すように、メイン筐体７２、メインモータ３２に電力を供給可能に構成されたメイン電源部７３、メインモータ３２の起動または停止を制御可能に構成されたメイン制御基板７４、及び各種表示を可能に構成されたメイン表示基板７５を有している。
【００２６】
メイン筐体７２は、その内部に、メイン電源部７３、メイン制御基板７４、及びメイン表示基板７５を配置している。メイン電源部７３は、常用電源１及び非常用電源２に接続されている。常用電源１は、例えば商用電源である。非常用電源２は、停電等により常用電源１から電力が供給されなくなった状態でも、電力を供給可能に構成されている。非常用電源２は、例えば、発電機である。
【００２７】
メイン制御基板７４は、メイン電源部７３から電力の供給を受けることにより動作可能となる。メイン制御基板７４は、メイン表示基板７５を制御可能に構成されている。メイン制御基板７４は、具体的には、基板、及びこの基板に搭載された電子部品を有している。メイン制御基板７４は、メインモータ３２に供給される電流を検出する電流検出装置７４ａを有している。メイン制御基板７４は、複数の端子７４ｄを有している。複数の端子７４ｄの一部には、第１の圧力検出装置６５が接続されている。このように第１の圧力検出装置６５がメイン制御基板７４に接続されることにより、第１の圧力検出装置６５の検出結果が、メイン制御基板７４に送信される。また、端子７４ｄの一部には、水位検出装置２１が接続されている。また、メイン制御基板７４は、下記の機能１乃至機能３を有している。
【００２８】
機能１は、第１の圧力検出装置６５が第１の圧力値Ｐ１以下となったことを検出すると、メイン電源部７３よりメインモータ３２に電力を供給してメインポンプ装置３０を起動する機能である。機能２は、電流検出装置７４ａの検出結果に基づいて、メインモータ３２へ流れる電流が過電流であることを検出すると、サブ制御盤７６のサブ制御基板７９にポンプ故障信号を送信する機能である。メインモータ３２への過電流の原因としては、主に、メインポンプ３１のメカニカルシールの固着、メインポンプ３１の空運転、メインポンプ３１内への異物の混入、またはメインポンプ３１の回転軸が曲がっていることである。メカニカルシールが固着することにより、過負荷となり過電流となる。メインポンプ３１が空運転することにより、インペラやポンプケーシングが高温となり互いに融解固着する。このように融解固着することにより過負荷となり過電流となる。異物の混入やインペラの回転軸が曲がることにより過負荷となり、過電流となる。
【００２９】
メイン制御基板７４は、図２乃至図４に示すように、機能２を達成可能とする為に、サブ制御盤７６のサブ制御基板７９に電気的に接続されたａ接点により構成されたポンプ故障信号送信部７４ｂを有している。メイン制御基板７４は、電流検出装置７４ａの検出結果に基づいて過電流を検出すると、ポンプ故障信号送信部７４ｂを閉状態とする。ポンプ故障信号送信部７４ｂが閉状態となることにより、サブ制御基板７９から送信された信号が、ポンプ故障信号送信部７４ｂを介してサブ制御基板７９に戻る。ポンプ故障信号送信部７４ｂを介してサブ制御基板７９に返される信号は、メイン制御基板７４からサブ制御基板７９へ送信された信号としてとられることができる。
【００３０】
機能３は、停電等により、メイン制御基板７４に電力が供給されない状態、または、メイン制御盤７１が故障すると、サブ制御基板７９に制御盤故障信号を送信する機能である。ここで言うメイン制御盤７１が故障した状態とは、電力が供給された状態であっても、動作不能となる状態であり、メインポンプ装置３０の制御できなくなる状態である。メイン制御基板７４は、機能３を達成する為に、サブ制御基板７９に電気的に接続されたｂ接点７４ｃを有している。このｂ接点７４ｃは、メイン制御基板７４に電力が供給されていない状態すなわちメイン制御盤７１に電力が供給されていない状態であると、閉状態が維持される。また、ｂ接点７４ｃは、メイン制御基板７４が故障している状態すなわちメイン制御盤７１が故障している状態では、閉状態が維持される。この為、メイン制御基板７４に電力が供給されない状態、または、メイン制御盤７１が故障すると、ｂ接点７４ｃが閉状態であることにより、サブ制御基板７９からの信号をサブ制御基板７９へ返す。また、ｂ接点７４ｃは、メイン制御盤７１に電力が供給されている状態であり、かつメイン制御盤７１が故障していない状態では、開状態が維持される。この為、メイン制御盤７１に電力が供給されている状態であってかつメイン制御盤７１が故障していない状態では、サブ制御基板７９からの信号はサブ制御基板７９に戻ることがない。メイン制御基板７４からｂ接点７４ｃを介してサブ制御基板７９に返される信号は、メイン制御基板７４からサブ制御基板７９へ送信された信号としてとらえることができる。この信号が、制御盤故障信号である。機能４は、外部起動装置８０から外部起動信号を受信すると、メイン電源部７３からメインモータ３２に電力を供給してメインポンプ装置３０を起動する機能である。
【００３１】
また、メイン制御盤７１は、例えば、管理者や消火作業者等からの、メインポンプ装置３０を停止するとの指示をメイン制御基板７４へ入力する手段を有している。この手段の一例として、メイン制御盤７１は、停止ボタン７１ａを有している。停止ボタン７１ａは、メイン制御基板７４に接続されている。停止ボタン７１ａが操作されると、メイン制御基板７４は、メインポンプ装置３０を停止する。停止ボタン７１ａは、人により操作可能に構成されている。停止ボタン７１ａは、例えば、鎮火し、消火設備による消火活動が不要と判断された場合に、人により操作される。また、メイン制御盤７１は、過電流を検出した後に停止ボタン７１ａが操作されると、ポンプ故障信号の送信を停止する。
【００３２】
サブ制御盤７６は、図３に示すように、サブ筐体７７、常用電源１及び非常用電源２に接続されてサブモータ４２に電力を供給可能に構成されたサブ電源部７８、サブポンプ装置４０の起動及び停止を制御可能に構成されたサブ制御基板７９、及び各種表示を可能に構成されたサブ表示基板７９ａを有している。
【００３３】
サブ制御基板７９は、サブ電源部７８から電力の供給を受けることにより動作可能となる。サブ制御基板７９は、サブ表示基板７９ａを制御可能に構成されている。サブ制御基板７９は、具体的には、基板、及びこの基板に搭載された電子部品を有している。サブ制御基板７９は、複数の端子７９ｂを有している。複数の端子７９ｂの一部には、第２の圧力検出装置６６が接続されている。複数の端子７９ｂの一部には、水位検出装置２１が接続されている。このように第２の圧力検出装置６６がサブ制御基板７９に接続されることにより、第２の圧力検出装置６６の検出結果がサブ制御基板７９に送信される。同様に、水位検出装置２１の検出結果が送信される。
【００３４】
また、サブ制御基板７９は、下記の機能５乃至機能８を有している。機能５は、メイン制御基板７４からポンプ故障信号を受信すると、または、メイン制御基板７４から制御盤故障信号を受信すると、サブモータ４２を起動する第１の条件が整ったと判断する機能である。
【００３５】
機能６は、サブモータ４２を起動する第１の条件が整ったと判断した後、外部起動装置８０からの外部起動信号を受信している状態、及び第２の圧力検出装置６６が第２の圧力値Ｐ２以下となったことを検出している状態のいずれか一方の状態を検出すると、第２の条件が整ったと判断する機能である。機能７は、第２の条件が整ったと判断した後、第２の条件が所定の起動待機時間維持されたか否かを判断する機能である。
【００３６】
機能８は、第２の条件が起動待機時間維持されたと判断した後に、水位検出装置２１の検出結果に基づいて消火水槽２０内に十分な水があると判断すると、停止状態にあるサブポンプ装置４０を起動する機能である。ここで言う十分な水とは、例えばサブポンプ４１が空運転しないだけの水である。なお、十分な水は任意に設定することができる。
【００３７】
また、サブ制御盤７６は、例えば、管理者や消火作業者等からの、サブポンプ装置４０を停止するとの指示をサブ制御基板７９へ入力する手段を有している。この手段の一例として、サブ制御盤７６は、停止ボタン７６ａを有している。停止ボタン７６ａは、サブ制御基板７９に接続されている。停止ボタン７６ａが操作されると、サブ制御基板７９は、サブポンプ装置４０を停止する。停止ボタン７６ａは、人により操作可能に構成されている。停止ボタン７６ａは、例えば、鎮火し、消火設備による消火活動が不要と判断された場合に、人により操作される。
【００３８】
外部起動装置８０は、建物の管理室に配置されており、建物の管理者等により操作可能に構成されている。外部起動装置８０は、火災が発生した場合に管理者等によりされる操作部として、例えば、起動信号を送信する送信ボタン８１を有している。送信ボタン８１が操作されると、外部起動装置８０は、メイン制御基板７４及びサブ制御基板７９に、外部起動信号送信する。また、外部起動装置８０は、消火活動が停止した場合等に管理者等により操作される操作部として、例えば解除ボタン８２を有している。外部起動装置８０は、この解除ボタン８２が操作されると、メイン制御基板７４及びサブ制御基板７９へ解除信号を送信する。なお、外部起動装置８０は、送信ボタン８１が操作されると、１度のみ外部起動信号を送信し、外部起動信号を送信し続けることはない。サブ制御基板７９は、外部起動装置８０から外部起動信号を受信した後に、解除信号を受信するまでは、外部起動信号がループして入り続けるように構成されている。この為、サブ制御基板７９は、外部起動装置８０から外部起動信号を受信した後に、解除信号を受信するまでは、外部起動信号を受信し続けている状態と判断する。
【００３９】
次に、メイン制御基板７４の動作を説明する。メイン制御盤７１は、図５に示すように、第１の圧力検出装置６５の検出結果に基づいて第１の圧力値Ｐ１以下となったことを検出すると、放水装置５０から放水されており火災が発生していると判断し、メインモータ３２に電力を供給してメインポンプ装置３０を起動する（ステップＳＴ１のＹｅｓ、及びステップＳＴ３）。または、メイン制御基板７４は、第１の圧力検出装置６５が第１の圧力値Ｐ１以下となったことを検出していない状態であっても、外部起動装置８０から外部起動信号を受信すると、火災が発生していると判断して、メインポンプ３１を起動する（ステップＳＴ１のＮＯ、ステップＳＴ２のＹｅｓ、及びステップＳＴ３）。なお、第１の圧力値Ｐ１以下となったことが検出されず、かつ、外部起動信号を受信していない状態（ステップＳＴ１のＮｏ，及びステップＳＴ２のＮＯ）では、メイン制御基板７４は、火事が発生しているとは判断しない。
【００４０】
メイン制御基板７４は、メインポンプ装置３０の駆動中において、電流検出装置７４ａの検出結果に基づいて過電流を検出すると（ステップＳＴ４のＹｅｓ）、ポンプ故障信号送信部７４ｂを閉状態にする。ポンプ故障信号送信部７４ｂが閉状態となることにより、サブ制御基板７９にポンプ故障信号を送信されることとなる（ステップＳＴ５）。メイン制御基板７４は、過電流を検出している状態では、ポンプ故障信号を送信し続ける（ステップＳＴ４のＹｅｓ、及びステップＳＴ５、及びステップＳＴ６のＮｏ）。
【００４１】
また、メイン制御基板７４は、メインポンプ装置３０が駆動されている状態では、消火活動が停止されたか否かを監視する（ステップＳＴ６）。
【００４２】
消火活動が停止されたか否かは、停止ボタン７１ａが操作されたか否かで判断される。すなわち、鎮火し、放水装置５０からの放水が不要となった場合に、管理者等の人により停止ボタン７１ａが操作される。この為、メイン制御基板７４は、停止ボタン７１ａが操作されたことを検出すると、消火活動が停止されたと判断（ステップＳＴ６のＹｅｓ）する。そして、メイン制御基板７４は、消火活動が停止されたと判断すると（ステップＳＴ６のＹｅｓ）、ポンプ故障信号を送信している場合では、ポンプ故障信号の送信を停止してメインポンプ３１を停止する（ステップＳＴ７、ステップＳＴ８）。過電流を検出しておらず（ステップＳＴ４のＮｏ）、ポンプ故障信号を送信していない場合は、ポンプ故障信号の送信停止作業をすることなく、メインポンプ３１の駆動を停止する（ステップＳＴ８）。なお、一旦過電流を検出すると（ステップＳＴ４のＹｅｓ）、その後、過電流を検出しなくなった場合においても、ポンプ故障信号の送信を、自動的に停止することはない。消火活動が停止されたと判断された場合にのみ、ポンプ故障信号の送信が停止される（ステップＳＴ７）。
【００４３】
次に、サブ制御基板７９の動作を、図６を用いて説明する。サブ制御基板７９は、メイン制御盤７１から制御盤故障信号を受信すると、すなわち、メイン制御基板７４に設けられたｂ接点７４ｃが閉状態となっており、サブ制御基板７９から送信した信号が、ｂ接点７４ｃを介してサブ制御基板７９に戻っている状態では、メイン制御基板７４に電力が供給されていないと判断し、または、メイン制御基板７４が故障していると判断し、サブポンプ４１を起動する第１の条件が整ったと判断する（ステップＳＴ１１のＹｅｓ）。
【００４４】
または、サブ制御基板７９は、メイン制御盤７１からポンプ故障信号を受信すると、サブポンプ４１を起動する第１の条件が整ったと判断する（ステップＳＴ１１のＮｏ，及びステップＳＴ１２のＹｅｓ）。なお、サブポンプ４１を起動する第１の条件は、メインポンプ装置３０側の故障などの理由に起因する条件である。第１の条件は、一例として、上述のように、メイン制御盤７１の故障、メイン制御盤７１に電力が供給されなくなった状態、及びメインポンプ装置３０へ供給される電流が過電流である状態のいずれか１つとなることである。
【００４５】
サブ制御基板７９は、サブポンプ４１を起動する第１の条件が整ったと判断すると（ステップＳＴ１１のＹｅｓ、またはステップＳＴ１２のＹｅｓ）、サブポンプ４１を起動する第２の条件が整ったか否かを判断する。サブポンプ４１を起動する第２の条件は、メインポンプ装置３０側以外の原因に起因する条件である。第２の条件は、一例として、外部起動装置８０からの外部起動信号の受信、または、第２の圧力検出装置６６が送水配管６０内の圧力が第２の圧力値Ｐ２以下であることを検出している状態である。
【００４６】
サブ制御基板７９は、具体的には、外部起動装置８０からの外部起動信号を受信しているか、または、第２の圧力検出装置６６が第２の圧力値Ｐ２以下を検出しているから否かを判断する（ステップＳＴ１３、及びステップＳＴ１４）。サブ制御基板７９は、サブポンプ４１を起動する第１の条件が整ったと判断した後（ステップＳＴ１１のＹｅｓ，またはステップＳＴ１２のＹｅｓ）、外部起動信号の受信をしていること検出すると（ステップＳＴ１３のＹｅｓ）、または、第２の圧力検出装置６６が第２の圧力値Ｐ２以下を検出していると（ステップＳＴ１４のＹｅｓ）、時間の計測を開始する（ステップＳＴ１５）。すなわち、サブ制御盤７６は、サブポンプ４１を起動する第２の条件が整ったと判断してからの時間を計測する。サブ制御基板７９は、この計測された時間が、所定の時間に設定された起動待機時間を経過するまでの間は、監視を続ける（ステップＳＴ１６のＮｏ、ステップＳＴ１１、ステップＳＴ１２、ステップＳＴ１３、ステップＳＴ１４）。
【００４７】
サブ制御基板７９は、計測した時間が起動待機時を経過するまでの間に、サブポンプ４１を起動する第２の条件が解除されたと判断すると（ステップＳＴ１３のＮｏ、及びステップＳＴ１４のＮｏ）、起動待機時間の計測を停止し、リセットし（ステップＳＴ１７）、ステップＳＴ１１に戻る。なお、サブ制御基板７９は、上述の通り、外部起動装置８０から外部起動信号を受信した後、解除信号を受信するまでは、外部起動信号を受信し続けていると判断する。すなわち、外部起動装置８０から解除信号を受信すると外部起動信号の受信が無くなったと判断する（ステップＳＴ１３のＮｏ）。
【００４８】
サブ制御盤７６は、計測された時間が起動待機時間を経過したと判断すると（ステップＳＴ１６のＹｅｓ）、水位検出装置２１の検出結果に基づいて、消火水槽２０内の水が、サブポンプ４１を起動するに十分であるか否かを判断する（ステップＳＴ１８）。サブ制御基板７９は、消火水槽２０の水が十分にあると判断すると（ステップＳＴ１８のＹｅｓ）、サブポンプ４１を起動する（ステップＳＴ１９）。消火水槽２０内の水が十分ではないと判断すると、消火水槽２０内の水が溜まるまで監視する（ステップＳＴ１８のＮｏ）。
【００４９】
サブ制御基板７９は、サブポンプ４１が起動されると（ステップＳＴ１９）、サブ制御盤７６の停止ボタン７６ａが操作されるまで、すなわち消火活動が停止となるまで、監視を続ける（ステップＳＴ２０のＮＯ）。サブ制御基板７９は、停止ボタン７６ａが操作されたことを検出すると（ステップＳＴ２０のＹｅｓ）、サブポンプ４１の駆動を停止する。
【００５０】
このように構成された消火設備１０では、メインポンプ装置３０のメインポンプ３１が駆動中に、メインポンプ装置３０を制御するメイン制御盤７１が故障した場合、または停電によりメイン制御盤７１に電力が供給されなくなった場合は、制御盤故障信号に基づいてサブ制御盤７６によりサブポンプ装置４０が起動される。また、メインモータ３２へ供給される電流が過電流である場合は、サブ制御基板７９は、ポンプ故障信号に基づいて、サブポンプ４１を起動する（サブモータ４２に電流を供給する）。この為、メインポンプ装置３０に不具合が生じた場合であってもサブポンプ装置４０により放水装置５０に給水されるので、放水装置５０からの放水が消火活動の途中で停止することを防止できる。すなわち、消火活動が中断されることを防止できる。
【００５１】
さらに、サブ制御盤７６は、常用電源１に加えて、非常用電源２からも電力の供給を受けることが可能に構成されている。この為、サブ制御盤７６は、停電により常用電源１からの電力供給が停止されても、駆動することが可能となる。
【００５２】
さらに、サブ制御盤７６は、サブポンプ４１を起動する第１の条件が整った後に、さらに、サブポンプ４１を起動する第２の条件が整わないとサブポンプ４１を起動しない。この為、消火活動の終了後等消火活動を行う必要がない状態で、メイン制御盤７１の故障またはメインポンプ装置３０への過電流を検出しても、サブポンプ４１が起動することがない。この為、サブポンプ４１を誤って起動することがない。さらに、サブ制御盤７６は、サブポンプ４１を起動する第２の条件が起動待機時間維持されなければサブポンプ４１を起動しないことにより、瞬時停電やメイン制御盤７１からの誤信号の送信によってサブポンプ４１を起動することを防止できる。
【００５３】
さらに、サブ制御盤７６は、メイン制御盤７１に設けたｂ接点７４ｃにより、メイン制御盤７１の故障時、または、停電によりメイン制御盤７１へ電力が供給されていない状態であっても、これらの状態を検出することが可能となる。
【００５４】
さらに、メイン制御盤７１及びサブ制御盤７６間の信号のやり取りは、メイン制御盤７１のポンプ故障信号送信部７４ｂ及びｂ接点７４ｃを用いて行われる。この為、メイン制御盤７１及びサブ制御盤７６の間に、両者間での信号のやりとりを行う中継盤を設ける必要がないので、消火設備１０の製造コストが高騰化することを防止できる。
【００５５】
さらに、サブ制御盤７６は、消火水槽２０内の水が、十分にあるか否かを判断し、消火水槽２０内の水が十分にあると判断すると、サブポンプ４１を起動する。この為、サブポンプ４１が空運転することを防止できる。
【００５６】
なお、本実施形態では、メイン制御盤７１に故障が無く、停電もなく、メインポンプ３１に故障もない（過電流がない）状態では、メインポンプ装置３０が起動される。メインポンプ装置３０が起動される場合においても、サブポンプ装置４０と同様に、消火水槽２０内の水が十分であるかの判断がなされ、消火水槽２０内の水が十分であると判断された場合に、メインポンプ装置３０が起動されるようにしてもよい。なお、消火水槽２０内の水が十分にある状態とは、例えば、メインポンプ３１が空運転しないだけの量がある状態である。
【００５７】
また、本実施形態では、メインポンプ装置３０のバックアップ用のポンプ装置として、１つのサブポンプ装置４０、及びこの１つのサブポンプ装置４０を制御するサブ制御盤７６が用いられたがこれに限定されない。他の例では、バックアップ用のサブポンプ装置４０は、複数あってもよい。このように複数のバックアップ用のサブポンプ装置４０を有する構成の場合では、例えば、複数のサブポンプ装置４０の起動する順番が決定されていてもよい。
【００５８】
また、本実施形態では、サブ制御基板７９すなわちサブ制御盤７６は、メインポンプ３１の故障信号を受信すると（ステップＳＴ１２）、サブポンプ４１を起動する第１の条件が整ったと判断した。すなわち、本実施形態では、サブ制御盤７６を起動する第１の条件として、メインポンプ３１の故障がある。本実施形態では、メインポンプ３１の故障を、サブポンプ４１を起動する第１の条件としている為、この第１の条件が整った後に、サブ制御盤７６が外部起動信号を受信（ステップＳＴ１３）するか、または、第２の圧力検出装置６６が第２の圧力値Ｐ２以下となったことを検出（ステップＳＴ１４）すると、サブポンプ４１を起動している（ステップＳＴ１９）。しかしながら、サブポンプ４１を起動する第１の条件として、メインポンプ３１の故障が含まれなくても良い。この場合、サブ制御盤７６は、制御盤故障信号を受信（ステップＳＴ１１）した場合のみ第１の条件が満たされたと判断してもよい。この場合は、第２の圧力値Ｐ２は、第１の圧力値Ｐ１未満であることに限定されない。第２の圧力値Ｐ２は、例えば第１の圧力値Ｐ１と同じ値であってもよい。または、第２の圧力値Ｐ２は、第１の圧力値Ｐ１以下であってもよい。
【００５９】
また、本実施形態では、メイン制御基板７４すなわちメイン制御盤７１は、一旦過電流を検出すると（ステップＳＴ４のＹｅｓ）、その後は、消火活動が停止されたと判断されるまで（ステップＳＴ６のＹｅｓ）、ポンプ故障信号の送信が停止されない。すなわち、本実施形態では、過電流が一旦検出されると、消火活動が停止されたと判断されるまで、ポンプ故障信号が送信され続ける。しかしながら、これに限定されない。他の例では、例えば、過電流が検出されなくなると（ステップＳＴ４のＮｏ）、ポンプ故障信号の送信が停止されてもよい。この場合、例えば、ステップＳＴ４とステップＳＴ６の間に、ポンプ故障信号の送信を停止するステップがあってもよい。
【００６０】
なお、本実施形態では、一例として、サブ制御基板７９すなわちサブ制御盤７６は、メイン制御基板７４の故障すなわちメイン制御盤７１の故障、メイン制御基板７４に電力が供給されなくなった状態すなわちメイン制御盤７１に電力が供給されなくなった状態、及びメインポンプ装置３０へ供給される電流が過電流である状態のいずれか１つを検出すると、すなわち第１の条件が整ったと判断し、その後、外部起動装置８０からの外部起動信号の受信、及びサブポンプ４１の二次側の圧力が第２の圧力値Ｐ２以下となった状態の少なくとも一方を検出すると、すなわち第２の条件が整ったと判断し、かつこの第２の条件が起動待機時間連続して維持されるとサブポンプ４１を起動するべくサブモータ４２に電流を供給した。しかしながら、これに限定されない。他の例では、サブ制御基板７９は、第２の条件が整ったと判断すると、第２の条件が起動待機時間維持されたか否かを判断することなく、直ぐにサブポンプ４１を起動してもよい。
【００６１】
また、サブ制御基板７９すなわちサブ制御盤７６は、第１の条件が整った後に第２の条件が整った場合にサブポンプ４１を起動することに限定されない。他の例では、サブ制御基板７９は、メインポンプ装置３０へ供給される電流が過電流である状態本実施形態ではメイン制御盤７１からのポンプ故障信号の受信、外部起動装置８０からの外部起動信号の受信、及びサブポンプ４１の二次側の圧力が第２の圧力値Ｐ２以下となった状態の少なくとも一つを検出すると、サブポンプ４１を起動してもよい。すなわち、サブ制御盤７６は、メイン制御基板７４の故障すなわちメイン制御盤７１の故障またはメイン制御盤７１に電力が供給されていない状態を、サブポンプ４１の起動の条件としなくてもよい。
【００６２】
なお、本実施形態では、サブ制御基板７９すなわちサブ制御盤７６は、サブポンプ４１の二次側の圧力値が第２の圧力値Ｐ２以下となると、または、外部起動装置８０からの外部起動信号を受信すると、第２の条件が整ったと判断したが、これに限定されない。他の例では、サブ制御基板７９は、サブポンプ４１の二次側の圧力値が第２の圧力値Ｐ２以下となると、及び外部起動装置８０からの外部起動信号を受信すると、第２の条件が整ったと判断してもよい。すなわち、サブ制御基板７９は、この両方を検出すると、第２の条件が整ったと判断するように構成されてもよい。
【００６３】
なお、本実施形態では、サブ制御基板７９すなわちサブ制御盤７６は、メイン制御基板７４すなわちメイン制御盤７１に一部が組み込まれた回路を有しており、そのメイン制御盤７１に組み込まれた一部としてｂ接点７４ｃが用いられている。そして、ｂ接点７４ｃは、メイン制御盤７１が故障している状態において閉状態が維持され、さらに、メイン制御盤７１に電力が供給されていない状態において閉状態が維持されることにより、サブ制御盤７６からの信号がサブ制御盤７６に戻る。このように、ｂ接点７４ｃを用いることにより、メイン制御盤７１の故障が生じている状態、及びメイン制御盤７１に電力が供給されていない状態の一方が生じていることを検出できるので、それぞれの状態を検出する手段を別々に用いることがない。すなわち、ｂ接点７４ｃが、これらの状態を検出する手段として共通して用いられる。
【００６４】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００６５】
１０…消火設備、３０…メインポンプ装置、３１…メインポンプ、３２…メインモータ、４０…サブポンプ装置、４１…サブポンプ、４２…サブモータ、５０…放水装置、６０…送水配管、７０…制御装置、７１…メイン制御盤、７６…サブ制御盤、７４ａ…電流検出装置、７４ｃ…ｂ接点。
【図１】
2018076781.tif 000003
【図２】
2018076781.tif 000004
【図３】
2018076781.tif 000005
【図４】
2018076781.tif 000006
【図５】
2018076781.tif 000007
【図６】
2018076781.tif 000008